(57)【要約】【課題】過酸化水素の水溶液であるＡ剤と、アルカリ剤の水溶液であるＢ剤とを別個に収容し、同時に吐出させて用いる、衣類用あるいは住居用の二剤式漂白剤において、漂白性能と使いやすさを向上させる。【解決手段】衣類又は住居の漂白用エアゾール製品１が、水性媒体中に過酸化水素を含有するＡ剤と、水性媒体中にアルカリ剤を含有するＢ剤とが別個に収容され、エアゾール容器２から同時に吐出されるようにしたものからなる。エアゾール容器２においては、Ａ剤、Ｂ剤の各剤と共に、噴射剤として液化石油ガス（ＬＰＧ）又はジメチルエーテル（ＤＭＥ）を充填することが好ましい。【選択図】図１
2006182807.tif 000002
【特許請求の範囲】
【請求項１】
水性媒体中に過酸化水素を含有するＡ剤と、水性媒体中にアルカリ剤を含有するＢ剤とが別個に収容され、エアゾール容器から同時に吐出されるようにした衣類又は住居の漂白用エアゾール製品。
【請求項２】
Ａ剤が漂白活性化剤を含有する請求項1記載のエアゾール製品。
【請求項３】
Ａ剤が界面活性剤として非イオン界面活性剤を含有し、エアゾール容器において、Ａ剤、Ｂ剤の各剤に、噴射剤として液化石油ガス又はジメチルエーテルが充填される請求項1又は２記載のエアゾール製品。
【請求項４】
Ｂ剤が界面活性剤として両性界面活性剤を含有し、エアゾール容器において、Ａ剤、Ｂ剤の各剤に、噴射剤として液化石油ガス又はジメチルエーテルが充填される請求項1又は２記載のエアゾール製品。
【発明の詳細な説明】
【技術分野】
【０００１】
本発明は、衣類や住居用物品の漂白に好適な二剤式漂白剤のエアゾール製品に関する。
【背景技術】
【０００２】
漂白剤には、塩素系漂白剤と酸素系漂白剤があり、このうち、塩素系漂白剤によると色柄物も漂白されるおそれがあるため、衣類等の繊維製品や壁紙、敷物等の住居用物品の漂白には、酸素系漂白剤が広く普及し、用いられている。
【０００３】
酸素系漂白剤には、過炭酸ナトリウム、過ホウ酸ナトリウム等を主成分とする粉末漂白剤と、過酸化水素を主成分とする液体漂白剤があるが、このうち液体漂白剤は、対象物に直接塗布できるなどの利点から好まれて使用されている。
【０００４】
しかしながら、過酸化水素を主成分とする液体漂白剤で安定な漂白性能を得るためには、ｐＨ１０以上のアルカリ性で使用する必要があり、一方、保存安定性を得るためには酸性〜中性のｐＨ域におくことが必要である。そこで、過酸化水素を主成分とする液体漂白剤で高い漂白性能を得るため、過酸化水素の水溶液とアルカリ剤の水溶液とを、内部が二室に分離したポンプ式あるいはトリガー式噴霧装置の各室に収容し、それらを同時に噴霧できるようにしたキットが提案されている（特許文献１）。
【０００５】
【特許文献１】特表平９−５０６１３０号
【発明の開示】
【発明が解決しようとする課題】
【０００６】
本発明は、過酸化水素の水溶液であるＡ剤と、アルカリ剤の水溶液であるＢ剤とを別個に収容し、同時に吐出させて用いる、衣類用あるいは住居用の二剤式漂白剤において、単にｐＨ１０以上のアルカリ性で達成できる漂白性能よりもさらに漂白性能を高め、また、衣類あるいは壁紙等といった漂白対象に応じて、使いやすさを向上させることを目的とする。
【課題を解決するための手段】
【０００７】
本発明者は、過酸化水素の水溶液であるＡ剤と、アルカリ剤の水溶液であるＢ剤とからなる二剤式漂白剤において漂白性能を高めるためには、これら二液を、エアゾール容器を用いて同時に吐出させ、ポンプ式あるいはトリガー式容器による噴霧では得られないきめ細かい泡を得ることが有効であること、さらに、衣類の漂白には、柔らかい泡質が好ましく、居室の壁紙等の漂白には硬い泡が好ましく、かかる泡質の制御もエアゾール容器から二液を吐出させることにより効果的に行えることを見出した。
【０００８】
即ち、本発明は、水性媒体中に過酸化水素を含有するＡ剤と、水性媒体中にアルカリ剤を含有するＢ剤とが別個に収容され、エアゾール容器から同時に吐出されるようにした衣類又は住居の漂白用エアゾール製品を提供する。
【発明の効果】
【０００９】
本発明のエアゾール製品は、過酸化水素を含有するＡ剤とアルカリ剤を含有するＢ剤とをエアゾール容器から同時に吐出させるので、二剤式漂白剤をｐＨ１０以上のアルカリ性で、かつきめ細かい泡状で、漂白対象物に付着、浸透させることができる。したがって、ポンプ式あるいはトリガー式噴霧装置でＡ剤とＢ剤を同時に噴霧した場合に比して、優れた漂白効果を得ることができる。
【００１０】
また、本発明のエアゾール製品では、エアゾール容器に充填する噴射剤の種類により、またＡ剤又はＢ剤に添加する界面活性剤等の種類により、泡質を効果的に制御できるので、衣類、壁紙、敷物等の漂白対象に応じて、最適の泡質の泡を吐出させることができる。
【発明を実施するための最良の形態】
【００１１】
以下、本発明を図面を参照しつつ詳細に説明する。なお、各図中、同一符号は同一又は同等の構成要素を表している。
【００１２】
図1は、本発明の一態様のエアゾール製品１の透視的模式図（（ａ）正面図、（ｂ）側面図、（ｃ）上面図）である。
【００１３】
このエアゾール製品１に用いるエアゾール容器２は、１つの外筒缶３の中に２つのインナーバッグ４ａ、４ｂを有し、各インナーバッグ４ａ、４ｂにエアゾールバルブが備えられている。各インナーバッグ４ａ、４ｂのエアゾールバルブから突出しているステム５ａ、５ｂには、キャップ６が嵌められ、キャップ６内には、２つのステム５ａ、５ｂから噴出した内容物が合流し、混合して１つの吐出ノズル７から吐出するように通液路８が形成されている。したがって、キャップ６を押し込むと２つのステム５ａ、５ｂが同時に押し込まれ、各インナーバッグ４ａ、４ｂに収容した剤が混合して一つの吐出ノズル７から泡状に吐出することとなる。
【００１４】
ここで、一方のインナーバッグ４ａには、水性媒体中に過酸化水素を含有するＡ剤と噴射剤が収容され、他方のインナーバッグ４ｂには水性媒体中にアルカリ剤を含有するＢ剤と噴射剤が収容される。
【００１５】
Ａ剤を収容するインナーバッグ４ａは、過酸化水素の強い酸化力に耐性を有する樹脂（例えば、エチレンビニルアルコール、ポリプロピレン、バレックス、ＰＡＮ、ＰＥＴ、ＬＤＥ、ＬＬＤＰＥ、ＰＶＣ、ポリ塩化ビニリデン、ナイロン等）のブロー成形により形成することができ、また、エアゾールバルブを支持するマウンテンカップには樹脂カバーを設け、過酸化水素が直接的にマウンテンカップに接しないようにすることが好ましい（特開平８−２３０９５９号）。
【００１６】
一方、Ｂ剤を収容するインナーバッグ４ｂは、Ａ剤を収容するインナーバッグ４ａと同様に形成してもよく、また、通常の樹脂（ポリアミドイミド、エポキシポリイミド、エポキシフェノール、オルガノゾル等）により形成してもよい。
【００１７】
Ａ剤は、過酸化水素と水等の水性媒体とからなる。Ａ剤中、過酸化水素濃度は、０．１〜１０重量％とすることが好ましい。
【００１８】
Ａ剤のｐＨは、過酸化水素の保存安定性の点から、ｐＨ１．０〜７．０に調整することが好ましい。このため、Ａ剤にはｐＨ調整剤を添加することが好ましく、ｐＨ調整剤としては、塩酸や硫酸等の無機酸、クエン酸、コハク酸、リンゴ酸、フマル酸、酒石酸、マロン酸、マレイン酸、ホスホン酸、トルエンスルホン酸等の有機酸等の酸剤、並びに水酸化ナトリウムや水酸化カリウム、アンモニアやその誘導体、モノエタノールアミンやジエタノールアミン、トリエタノールアミン等のアミン塩、炭酸ナトリウム、炭酸カリウム等のアルカリ剤を、単独もしくは複合して用いることが好ましい。
【００１９】
さらに、Ａ剤には、泡質の制御のため界面活性剤を添加することが好ましい。より具体的には、衣類の漂白に適するように、泡質を柔らかくし、クリーミーにし、漂白対象物に付着しやすくし、繊維への浸透性を高める場合には、非イオン界面活性剤を使用することが好ましく、その使用量はＡ剤の０．２〜３０重量％、更に５〜１５重量％配合することが好適である。
【００２０】
また、壁紙等の漂白に適するように、付着性を高め、鉛直面に吐出した場合の泡だれを抑制する場合には両性界面活性剤を使用することが好ましく、その使用量はＡ剤の０．２〜５重量％とすることが好ましい。本発明で用いる両性界面活性剤としては、泡質をコントロールする目的から、アルキルアミンオキシド、アルキルカルボキシベタイン、アルキルスルホベタイン、アミドアミノ酸塩、ホスフェチジルコリンが好ましい。なかでも、アルキルアミンオキシドが最も好ましい。
【００２１】
Ａ剤には漂白性能を向上させるため、漂白活性化剤を添加することが好ましい。漂白活性化剤としては、アルカノイルオキシベンゼン型漂白活性化剤が好ましく、特に炭素数８〜１４、好ましくは炭素数１０〜１３のアルカノイル基を有するアルカノイルオキシベンゼンスルホン酸、炭素数８〜１４、好ましくは炭素数１０〜１３のアルカノイル基を有するアルカノイルオキシベンゼンカルボン酸又はこれらの塩を添加することが好ましい。より具体的には、オクタノイルオキシ−ｐ−ベンゼンスルホン酸、デカノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、ノナノイルオキシ−ｐ−ベンゼンカルボン酸、３，５，５−トリメチルヘキサノイルオキシ−ｐ−ベンゼンカルボン酸、デカノイルオキシ−ｐ−ベンゼンカルボン酸及びこれらの塩が親油性汚れの漂白効果の点から好ましい。その添加量はＡ剤の０．０５〜５重量％とすることが好ましい。
【００２２】
本発明では上記漂白活性化剤の貯蔵安定性を向上させる目的から、Ａ剤に陽イオン界面活性剤を含有させることが好適である。陽イオン界面活性剤としては、モノ長鎖アルキル（もしくはアルケニル）トリ短鎖アルキル型陽イオン界面活性剤が好ましい。
【００２３】
また必要に応じて、漂白洗浄力を高める目的から、Ａ剤に陰イオン界面活性剤を含有することができる。陰イオン界面活性剤としては、分子中に炭素数１０〜１８、好ましくは１０〜１５のアルキル基又はアルケニル基と、−ＳＯ３Ｍ基及び／又は−ＯＳＯ３Ｍ基［Ｍ：対イオン］を有する陰イオン界面活性剤が好ましい。具体的には、上記炭素数を有するアルキルベンゼンスルホン酸、アルキル硫酸エステル、ポリオキシアルキレンアルキルエーテル硫酸エステル、脂肪酸およびこれらの塩が好ましい。
【００２４】
この他、Ａ剤には、必要に応じて、ヒドロキシプロピルメチルセルロース等のヒドロキシアルキルセルロース誘導体等の増粘剤や、酸性域で増粘せず、Ａ剤とＢ剤の混合後のｐＨで増粘するポリアクリル酸、アクリレートポリマー等の増粘剤を含有することができる。また、必要に応じて、染料、顔料のような着色剤、殺菌剤、抗菌剤、香料、蛍光増白剤、溶剤、シリコーン類、紫外線吸収剤、無機電解質、酵素、キレート剤、安定化剤、変退色防止剤、ハイドロトロープ剤など、種々の添加剤を適量（各々０〜約２％程度）含有することができる。
【００２５】
一方、Ｂ剤は、アルカリ剤と水等の水性媒体とからなる。アルカリ剤としては、アルカリ金属、アルカリ土類金属、アンモニウムの水酸化物、炭酸塩、重炭酸塩、ホウ酸塩、ケイ酸塩、リン酸塩、モノエタノールアミンやジエタノールアミン、トリエタノールアミン等のアミン塩等を使用することができ、特に、水酸化カリウム、水酸化ナトリウム、モノエタノールアミンが好ましい。また、Ａ剤と混合する前にはＢ剤のｐＨが９．０〜１３．５、好ましくは９．０〜１１．５となるように、ｐＨ調整剤を加えることが好ましい。ｐＨ調整剤としては、塩酸や硫酸等の無機酸、クエン酸、コハク酸、リンゴ酸、フマル酸、酒石酸、マロン酸、マレイン酸、ホスホン酸、トルエンスルホン酸等の有機酸等の酸剤を、単独もしくは複合して用いることが好ましい。アルカリ剤とｐＨ調整剤を混合することにより、Ｂ剤に高い緩衝能与え、Ａ剤と混合した後には、両剤の混合液のｐＨがｐＨ９．５〜１１．０となるようにすることが好ましい。
【００２６】
また、Ｂ剤にも泡質の制御のため界面活性剤を添加することが好ましく、より具体的には、衣類の漂白に適するように、泡質を柔らかくし、繊維への浸透性を高める場合には、非イオン界面活性剤を使用することが好ましく、その使用量はＢ剤の０．１〜３重量％とすることが好ましい。また、壁紙等の漂白に適するように、付着性を高め、泡だれを抑制する場合には両性界面活性剤を使用することが好ましく、その使用量はＢ剤の０．２〜５重量％とすることが好ましい。Ｂ剤で用いる両性界面活性剤としては、アルキルアミンオキシド、アルキルカルボキシベタイン、アルキルスルホベタイン、アミドアミノ酸塩、ホスフェチジルコリンが好ましい。
【００２７】
この他、Ｂ剤には、必要に応じてアルカリ性域では増粘せず、Ａ剤とＢ剤の混合後のｐＨで増粘する粘土、シリカ等の増粘剤や、スルホン酸基又はヒドロキシ基から選ばれる官能基をその繰り返し単位に有する高分子化合物（特開２００３−１０５３９２号公報参照）、染料、顔料のような着色剤、殺菌剤、抗菌剤、香料、蛍光増白剤、溶剤、シリコーン類、紫外線吸収剤、無機電解質、酵素、キレート剤、安定化剤、変退色防止剤、ハイドロトロープ剤など、種々の添加剤を適量（各々０〜約２％程度）含有することができる。
【００２８】
インナーバッグ４ａ、４ｂに、Ａ剤、Ｂ剤と共に充填される噴射剤としては、液化石油ガス（ＬＰＧ）、ジメチルエーテル（ＤＭＥ）等の液化ガス、空気、二酸化炭素、窒素等の圧縮ガスを使用できるが、吐出ノズル７から吐出させる二剤式漂白剤の泡質をクリーミーにし、漂白対象物に付着しやすくし、かつ漂白対象物から容易に流れ落ちることなく付着した場所に持続させる点から、ＬＰＧ、ＤＭＥ等が好ましく、ＬＰＧが最も好ましい。その混合比は、Ａ剤又はＢ剤／噴射剤を、重量比で８０／２０〜９９／１とすることが好ましい。
【００２９】
これによりエアゾール製品１の吐出ノズル７から吐出される二剤式漂白剤の泡物性をコントロールすることが可能であり、ポンプ式あるいはトリガー式容器を用いた場合と比較して、嵩高い泡を長時間汚れ部分に塗布することができ、衣類等の繊維製品や壁紙、敷物等の住居用物品の漂白に最適化させることができる。例えば、Ａ剤又はＢ剤に両性界面活性剤を含有させ上述のように噴射剤を配合した場合の泡質は、噴出直後の泡の厚さが５ｍｍ以上、好ましくは１０ｍｍ以上、さらに好ましくは２０ｍｍ以上の嵩高いものとなり、その泡の厚さは、１分間経過した後も初期厚さの５０％以上を維持するものとなる。
【実施例】
【００３０】
実施例１、２及び比較例１〜３
（１）漂白用エアゾール製品の製造
各実施例及び比較例について、表１に示すＡ剤、Ｂ剤の配合成分をそれぞれ混合し、さらに１０質量％硫酸水溶液又は３０質量％ＮａＯＨ水溶液を用いて表１に示すｐＨに調整することによりＡ剤の原液とＢ剤の原液を得た。
【００３１】
実施例１、２、比較例２、３については、図１に示すエアゾール容器の一方のインナーバッグにＡ剤の原液を充填し、もう一方のインナーバッグにＢ剤の原液を充填し、さらに双方のインナーバッグに噴射剤を表１に示す割合で充填し、漂白用エアゾール製品を得た。また、比較例１については、特開平８−０９６９５７に示されている如き二液同時吐出用のトリガースプレーヤーにＡ剤の原液とＢ剤の原液を別個に充填し、噴射剤は充填することなく、漂白用トリガー製品を得た。
【００３２】
（２）評価
(2-1)泡高さ
各実施例及び比較例の製品から、Ａ剤とＢ剤からなる漂白剤を、１０ｃｍ×１０ｃｍの木綿金布♯２００３に１０ｃｍの距離から３秒間吐出し、５秒後に、木綿金布上に形成された泡の最上部までの高さを測定した。また、トリガー製品については、３秒間の吐出に代えて３回のトリガー操作を行い、同様に泡の高さを測定した。結果を表１に示す。
【００３３】
(2-2)漂白率
まず、紅茶汚染布を次のように作製した。日東紅茶（黄色パッケージ）（商品名）１６０ｇを６Ｌのイオン交換水にて約１５分間煮沸後、糊抜きしたさらし木綿で濾し、この液に５ｃｍ×５ｃｍに裁断した木綿金布＃２００３（白布）の６００枚を浸した。一晩放置後、布を取り出して流水下で水洗し、脱水して室温で乾燥後、紅茶汚染布を得た。
【００３４】
こうして得た紅茶汚染布５枚の全面に、各容器を用いて漂白剤を１０ｃｍの距離から３秒間吐出して、３０分後水道水ですすぎ、乾燥させた。また、トリガー製品については、３秒間の吐出に代えて３回のトリガー操作を行い、同様に処理した。
【００３５】
白布、漂白前、及び漂白後の布の反射率を測定し、次式により漂白率を算出した。なお、布の反射率は、日本電色工業(株)製ＮＤ−３００Ａで４６０ｎｍフィルターを使用して測定した。結果を表１に示す。
【００３６】
【数１】
2006182807.tif 000003
【００３７】
【表１】
2006182807.tif 000004
【００３８】
１）ｐＨ；２０℃の測定値
２）ノニオン；ポリオキシエチレンラウリルエーテル（ＥＯ平均付加モル数；８モル）
３）ＬＯＢＳ；ラウロイルオキシベンゼンスルホン酸ナトリウム
４）カチオン；Ｎ−ドデシル−Ｎ，Ｎ，Ｎ−トリメチルアンモニウムメチル硫酸エステル塩
５）ホスホン酸；１−ヒドロキシエチリデン−１，１−ジホスホン酸
６）アルキルアミンオキシド；ラウリルジメチルアミンオキシド
【００３９】
表１から、実施例１、２の漂白用エアゾール製品は、同様の配合成分だが噴射剤を使用しない比較例１の漂白用トリガー製品に対して、泡高さに優れ、漂白率が高いことがわかる。また、実施例１、２と比較例２、比較例３と対比することにより、Ａ剤中の過酸化水素を欠いても、Ｂ剤をアルカリ性にしない場合にも漂白率が顕著に劣ることがわかる。
【産業上の利用可能性】
【００４０】
本発明のエアゾール製品は、衣類等の繊維製品や、壁紙、敷物等の住居用物品の漂白に使用することができる。
【図面の簡単な説明】
【００４１】
【図１】二剤式漂白剤の透視的模式図である。
【符号の説明】
【００４２】
１    エアゾール製品
２    エアゾール容器
３      外筒缶
４ａ、４ｂ    インナーバッグ
５ａ、５ｂ    ステム
６      キャップ
７      吐出ノズル
８      通液路
【図１】
2006182807.tif 000005